(57)【特許請求の範囲】
【請求項１】
液晶パネルを前面に露出するように収納するとともに、バックライトを照射する光源を端部に収納する液晶モジュールを備えた液晶ディスプレイであって、
前記液晶モジュールとの間に間隙を設けつつ前記液晶モジュールの背面側を覆うように配置された、金属のシャシーパネルと、
前記液晶モジュールの端部、および、前記シャシーパネルにおける前記液晶モジュールの端部より内側の箇所に対向する位置にそれぞれ接続された、前記液晶モジュールの端部の熱を前記シャシーパネルに伝導するための平板状の接触部材と、
を備え、
前記接触部材が、前記液晶モジュールおよび前記シャシーパネルの水平方向の全長にわたって延びるように構成されることを特徴とする液晶ディスプレイ。
【請求項２】
前記シャシーパネルにおける前記接触部材との接触位置よりも外側に、前記光源の近傍における間隙の一部を経由する通風路を形成した請求項１に記載の液晶ディスプレイ。
【請求項３】
前記液晶モジュールの前面における前記光源との対向位置と前記シャシーパネルとを接触させる金属フレームを設けた請求項１または２に記載の液晶ディスプレイ。
【発明の詳細な説明】
【０００１】
【産業上の利用分野】
この発明は、電圧の印加によって光学的異方性を持つ分子の配列を変えて光源から照射されたバックライトを選択的に透光又は遮光することにより画像を表示する液晶ディスプレイに関する。
【０００２】
【従来の技術】
表示面積の比較的大きい液晶ディスプレイでは、表示画像の視認性を向上するため、液晶を封入した液晶パネルの背面側において、液晶パネルの背面に対向する位置、又は、液晶パネルの背面に対向しない位置にバックライトを照射する光源を設けた液晶モジュールが用いられている。光源を液晶パネルの背面に対向する位置に配置した場合には光源から照射されたバックライトを拡散板のみを介して、光源を液晶パネルの背面に対向しない位置に配置した場合には導光板及び拡散板を介して液晶パネルの背面に配光し、液晶パネルによってバックライトを選択的に透光又は遮光する。このバックライト用の光源として、一般的に冷陰極管が用いられる。
【０００３】
ところが、液晶パネルの背面側に配置された光源が点灯駆動により発熱すると、液晶パネル面における熱分布に偏りを生じ、液晶パネル面における表示状態が不均一になり、表示画像の視認性が低下する。特に、単純マトリックス駆動方式（ＳＴＮ、ＤＳＴＮ）の液晶ディスプレイでは、液晶パネル面において±５度以上の温度の不均一を生じると、表示画面の明度が不均一になることが知られている。
【０００４】
そこで、従来の液晶ディスプレイでは、液晶モジュールの背面の略全面に放熱機能を備えたシャシーパネルを密着させ、光源において発生した熱をシャシーパネルを介して液晶モジュールの背面側に放熱するようにしている。このシャシーパネルは、熱伝導性に優れた金属板を素材として略平板状に形成されている。
【０００５】
【発明が解決しようとする課題】
しかしながら、液晶モジュールの背面の略全面に放熱機能を備えたシャシーパネルを密着させた従来の液晶ディスプレイでは、光源において発生した熱を液晶モジュールの背面側に効果的に放熱することはできるものの、液晶パネルの全面における熱分布を均一にすることはできず、液晶パネル面における表示状態が不均一になって表示画像の視認性が低下する問題があった。
【０００６】
この発明の目的は、液晶モジュールの背面に空気層を介して放熱板を配置することにより、光源において発生した熱を液晶モジュールの背面側に効果的に放熱するとともに、液晶パネルの全面における熱分布を均一にして表示画面の明度を一様にできる液晶ディスプレイを提供することにある。
【０００７】
【課題を解決するための手段】
請求項１に記載した発明は、液晶パネルを前面に露出するように収納するとともに、バックライトを照射する光源を端部に収納する液晶モジュールを備えた液晶ディスプレイであって、
前記液晶モジュールとの間に間隙を設けつつ前記液晶モジュールの背面側を覆うように配置された、金属のシャシーパネルと、
前記液晶モジュールの端部、および、前記シャシーパネルにおける前記液晶モジュールの端部より内側の箇所に対向する位置にそれぞれ接続された、前記液晶モジュールの端部の熱を前記シャシーパネルに伝導するための平板状の接触部材と、
を備え、
前記接触部材が、前記液晶モジュールおよび前記シャシーパネルの水平方向の全長にわたって延びるように構成されることを特徴とする。
【０００８】
請求項１に記載した発明においては、液晶モジュールの背面の略全面に対向する一定幅の間隙が形成され、この間隙の背面に放熱板が配置される。また、放熱板は、液晶モジュールの背面において、光源に対向する部分の近傍に接触する。したがって、液晶モジュールの背面において光源に対向する部分は、光源によって直接加熱されて高温になる一方、その熱が放熱板に伝導して冷却される。また、液晶モジュールの背面において光源に対向しない部分は、光源に対向する部分からの熱伝導、及び、放熱板からの熱輻射により加熱される。このため、液晶モジュールの背面において光源に対向する部分と対向しない部分との温度差が小さくなって液晶パネルの全面について熱分布が略均一になり、表示画面の明度が一様になる。
【０００９】
請求項２に記載した発明は、前記シャシーパネルにおける前記接触部材との接触位置よりも外側に、前記光源の近傍における間隙の一部を経由する通風路を形成したことを特徴とする。
【００１０】
請求項２に記載した発明においては、液晶モジュールの背面に形成された間隙において光源に対向する部分の近傍に放熱板を経由して空気が流入する。したがって、液晶モジュールの背面において光源によって直接加熱されて高温になる部分が、放熱板への熱伝導に加えて空気の流入によっても冷却され、液晶モジュールの背面において光源に対向する部分と対向しない部分との温度差がさらに小さくなり、液晶パネルの全面について温度分布がさらに均一化される。
【００１１】
請求項３に記載した発明は、前記液晶モジュールの前面における前記光源との対向位置と前記シャシーパネルとを接触させる金属フレームを設けたことを特徴とする。
【００１２】
請求項３に記載した発明においては、液晶モジュールの前面において光源に対向する部分の熱が熱伝導部材を介して放熱板に伝導する。したがって、液晶モジュールの前面において光源によって直接加熱されて高温になる部分が、放熱板への熱伝導によって冷却され、液晶モジュール全体において光源に対向する部分と対向しない部分との温度差がさらに小さくなり、液晶パネルの全面について温度分布がさらに均一化される。
【００１３】
【発明の実施の形態】
図１はこの発明の実施形態に係る液晶ディスプレイの外観を示す図であり、図１（Ａ）は液晶ディスプレイの正面図、図１（Ｂ）は液晶ディスプレイの側面図である。液晶ディスプレイ１は、フロントカバー２ａとリアカバー２ｂとからなる本体２をスタンド３により支持して構成されている。フロントカバー２ａの前面には、液晶パネル５が露出する開口部４が形成されている。フロントカバー２ａの前面の下方には、液晶パネル５の明度を調整する明度調整ノブ６、液晶パネル５のコントラストを調整するコントラスト調整ノブ７、及び、電源のオン／オフ状態を表示する電源ランプ８が露出している。フロントカバー２ａとリアカバー２ｂとを一体にした本体２は、スタンド３の上端において水平方向の回転軸を中心にして所定範囲内において回転自在に支持されている。
【００１４】
図２は、上記液晶ディスプレイの組立図である。フロントカバー２ａとリアカバー２ｂとによって筐体を構成する本体２の内部には、液晶モジュール１１、モジュール用シャシーパネル１２、プリント配線基板１３及び基板用シャシーパネル１４等が収納される。液晶モジュール１１は、液晶パネル５を前面に露出して収納しているとともに、上下の端部近傍に、例えば、冷陰極管等のバックライト用の光源９を水平に収納している。
【００１５】
モジュール用シャシーパネル１２は、熱伝導性に優れた金属平板をプレス加工等によって成形したものであり、液晶モジュール１１の背面の全面に対向する。プリント配線基板１３には、液晶モジュール１１が収納する液晶パネル５及びバックライト９を駆動する回路が構成されている。このプリント配線基板１３は、接続用フレーム１５を介して基板用シャシーパネル１４に取り付けられ、さらに、基板用シャシーパネル１４を介してモジュール用シャシーパネル１２の背面に取り付けられる。
【００１６】
液晶モジュール１１の前面における上下の端部には、略コの字型の薄板状のパッキン１６が当接し、さらにパッキン１６の前面に略コの字型の薄板状のフレーム１７が当接する。パッキン１６は熱伝導性に優れたゴムを素材とし、フレーム１７は熱伝導性に優れた金属を素材としている。フレーム１７は液晶モジュール１１の上方及び下方においてモジュール用シャシーパネル１２にネジ止めされる。この時、パッキン１６は、液晶モジュール１１の前面とフレーム１７との間に挟持される。
【００１７】
なお、リアカバー２ｂの背面の上部には排気口１８が形成されており、リアカバー２ｂの内側面の上部において排気口１８に対向する位置に冷却ファンが取り付けられている。冷却ファンは、本体２の内部の熱を排気口１８を経由して外部に排気する。
【００１８】
図３は、上記液晶ディスプレイの要部の構成を示す図である。同図は、モジュール用シャシーパネル１２、パッキン１６及びフレーム１７を装着した状態の液晶モジュール１１の上端部近傍を示す斜視断面図である。内部の前面側に液晶パネル５を収納した液晶モジュール１１の上端部は、背面側のモジュール用シャシーパネル１２と前面側のパッキン１６及びフレーム１７との間に挟持されている。即ち、モジュール用シャシーパネル１２とフレーム１７とは、それぞれの折曲部１２ａ，１７ａを液晶モジュール１１の上面において当接した状態で固定されている。
【００１９】
この状態で、液晶モジュール１１の背面の全面に、モジュール用シャシーパネル１２の垂直面１２ｂが一定の間隙を設けて対向する。モジュール用シャシーパネル１２の垂直面１２ｂの前面には、水平方向の全長にわたって平板状の接触部材２１が固定されている。この接触部材２１は、上端部２１ａにおいて液晶モジュール１１の背面に当接する。液晶モジュール１１の内部において接触部材２１の上端部２１ａが当接する部分の内側には光源９が配置されている。モジュール用シャシーパネル１２の垂直面１２ｂにおける接触部材２１の取付位置の上方、及び、水平面１２ｃには、多数の開口孔２２が形成されている。
【００２０】
なお、液晶モジュール１１の下端部は、図３に示す構成を上下対称にした状態に構成されている。
【００２１】
図４は、上記液晶ディスプレイの液晶モジュールの背面側における加熱及び放熱状態を示す図である。液晶モジュール１１の背面において光源９に対向する部分は、光源９によって直接加熱されて高温になる一方、その熱が接触部材２１を介してモジュール用シャシーパネル１２に伝導して冷却される。これに対して、液晶モジュール１１の背面において光源９に対向しない部分にはモジュール用シャシーパネル１２は直接接触しないため、この部分は、光源９に対向する部分からの熱伝導、及び、モジュール用シャシーパネル１２からの熱輻射により加熱される。このため、液晶モジュール１１の背面において光源９に対向する部分と対向しない部分との温度差が小さくなり、液晶モジュール１１内の前面側に収納された液晶パネル５の全面における熱分布を略均一にすることができ、液晶パネル５における表示画面の明度を一様にすることができる。
【００２２】
また、液晶モジュール１１の背面において光源９によって直接加熱されて高温になる上下端部が、モジュール用シャシーパネル１２への熱伝導に加えて、モジュール用シャシーパネル１２に形成された開口孔２２を経由する空気の流入によっても冷却され、液晶モジュール１１の背面において光源９に対向する部分と対向しない部分との温度差がさらに小さくなり、液晶パネル５の全面における熱分布をより均一化することができる。
【００２３】
さらに、液晶モジュール１１の前面において光源９によって直接加熱されて高温になる上下端部が、パッキン１６及びフレーム１７を経由するモジュール用シャシーパネル１２への熱伝導によって冷却され、液晶モジュール１１の全体において光源９に対向する部分と対向しない部分との温度差がさらに小さくなり、液晶パネル５の全面における熱分布をより均一化することができる。
【００２４】
なお、この実施形態に係る液晶ディスプレイでは、光源９を液晶モジュール１１内の上下端部近傍に１本ずつ配置したが、光源９の配置本数、及び、配置位置はこれに限るものではない。
【００２５】
また、この実施形態に係る液晶ディスプレイでは、光源９を液晶パネル５の背面の一部に対向する位置に配置したが、液晶パネル５の背面に対向しない位置に配置した光源９から照射されたバックライトを導光板を介して液晶パネル５の背面に配光するように構成した液晶ディスプレイにおいてもこの発明を同様に実施することができ、光源からの距離に応じて液晶パネル面に生じる熱分布の不均一を解消して表示画面の明度を一様にすることができる。
【００２６】
【発明の効果】
請求項１に記載した発明によれば、液晶モジュールの背面の略全面に対向する一定幅の間隙を形成し、この間隙の背面に放熱板を配置するとともに、放熱板を液晶モジュールの背面において光源に対向する部分の近傍に接触させることにより、液晶モジュールの背面において光源によって直接加熱されて高温になる部分を放熱板を介して冷却するとともに、液晶モジュールの背面において光源に対向しない部分を光源に対向する部分からの熱伝導、及び、放熱板からの熱輻射により加熱し、液晶モジュールの背面において光源に対向する部分と対向しない部分との温度差を小さくすることができ、液晶パネルの全面における熱分布を均一にして表示画面の明度を一様にし、表示画像の視認性の低下を防止することができる。
【００２７】
請求項２に記載した発明によれば、液晶モジュールの背面の間隙において光源に対向する部分の近傍に放熱板を経由して空気を流入させることにより、液晶モジュールの背面において光源によって直接加熱されて高温になる部分を放熱板への熱伝導に加えて空気の流入によって冷却し、液晶モジュールの背面において光源に対向する部分と対向しない部分との温度差をさらに小さくすることができ、液晶パネルの全面における熱分布をさらに均一化して表示画面の明度をより一様にすることができる。
【００２８】
請求項３に記載した発明によれば、液晶モジュールの前面において光源に対向する部分の熱を熱伝導部材を介して放熱板に伝導することにより、液晶モジュールの前面において光源によって直接加熱されて高温になる部分を放熱板への熱伝導によって冷却し、液晶モジュール全体において光源に対向する部分と対向しない部分との温度差をさらに小さくすることができ、液晶パネルの全面における熱分布をさらに均一化して表示画面の明度をより一様にすることができる。
【図面の簡単な説明】
【図１】この発明の実施形態に係る液晶ディスプレイの外観を示す図である。
【図２】上記液晶ディスプレイの組立図である。
【図３】上記液晶ディスプレイの要部の構成を示す図である。
【図４】上記液晶ディスプレイの液晶モジュールの背面側における加熱及び放熱状態を示す図である。
【符号の説明】
１−液晶ディスプレイ
２−本体
２ａ−フロントカバー
２ｂ−リアカバー
５−液晶パネル
９−光源
１１−液晶モジュール
１２−モジュール用シャシーパネル
１６−パッキン
１７−フレーム
２１−接触部材
２２−開口部
【図１】
0003961642.tif 000002
【図２】
0003961642.tif 000003
【図３】
0003961642.tif 000004
【図４】
0003961642.tif 000005